(57)【特許請求の範囲】
【請求項１】
気圧を計測する気圧センサと、温湿度（気温及び／又は湿度）を計測する温湿度センサとを有し、空間的な人動物の不存在感を判定する装置であって、
時間経過に伴い変化する気圧の差分値である気圧差分値を算出する気圧差分値算出手段と、
外部装置から外界の参照温湿度を取得する参照温湿度取得手段と、
計測された温湿度と、参照温湿度との間の相関値を算出する温湿度相関値算出手段と、
前記気圧差分値の絶対値が第１の所定条件以下であって、且つ、前記相関値が第２の所定条件以上である場合に、空間的な人動物の存在感が無いと判定する不存在感判定手段と
を有することを特徴とする装置。
【請求項２】
前記気圧差分値算出手段は、ｎ階中心差分法又はエッジ抽出フィルタ法に基づく差分法を用いて、前記気圧差分値を算出する
ことを特徴とする請求項１に記載の装置。
【請求項３】
前記温湿度相関値算出手段における前記相関値は、計測された温湿度と、参照温湿度との時系列データに関する相互相関関数(cross-correlation function)に基づく相互相関値である
ことを特徴とする請求項１又は２に記載の装置。
【請求項４】
前記不存在感判定手段について、
第１の所定条件以下とは、所定期間内について、複数の気圧差分値の絶対値の中で、第１の所定閾値以上の気圧差分値が第１の所定数以下であることを意味し、
第２の所定条件以上とは、所定期間内について、相互相関値が第２の所定閾値以上であることを意味する
ことを特徴とする請求項１から３のいずれか１項に記載の装置。
【請求項５】
当該装置は、人動物が存在するであろう室内に設置されるものであり、
第１の所定閾値は、外界から密閉された室内における人動物の活動によって生じるであろう気圧差分値を意味し、
第２の所定閾値は、外界と一部開放された室内における人動物の存在によって生じるであろう室内温湿度と参照温湿度との間の相互相関値を意味する
ことを特徴とする請求項４に記載の装置。
【請求項６】
前記不存在感判定手段によって真と判定された際に、ネットワークを介して外部装置へ、異常状態を通知する異常通知手段を
更に有することを特徴とする請求項１から５のいずれか１項に記載の装置。
【請求項７】
気圧を計測する気圧センサと、温湿度（気温及び／又は湿度）を計測する温湿度センサとを有し、空間的な人動物の不存在感を判定する装置に搭載されたコンピュータを機能させるプログラムであって、
時間経過に伴い変化する気圧の差分値である気圧差分値を算出する気圧差分値算出手段と、
外部装置から外界の参照温湿度を取得する参照温湿度取得手段と、
計測された温湿度と、参照温湿度との間の相関値を算出する温湿度相関値算出手段と、
前記気圧差分値の絶対値が第１の所定条件以下であって、且つ、前記相関値が第２の所定条件以上である場合に、空間的な人動物の存在感が無いと判定する不存在感判定手段と
してコンピュータを機能させることを特徴とするプログラム。
【請求項８】
気圧を計測する気圧センサと、温湿度（気温及び／又は湿度）を計測する温湿度センサとを有し、空間的な人動物の不存在感を判定する装置の不存在感判定方法であって、
前記装置は、
時間経過に伴い変化する気圧の差分値である気圧差分値を算出し、
外部装置から外界の参照温湿度を取得し、
計測された温湿度と、参照温湿度との間の相関値を算出し、
前記気圧差分値の絶対値が第１の所定条件以下であって、且つ、前記相関値が第２の所定条件以上である場合に、空間的な人動物の存在感が無いと判定する
ことを特徴とする装置の不存在感判定方法。
【請求項９】
気圧を計測する気圧センサと、温湿度（気温及び／又は湿度）を計測する温湿度センサとを有するモジュールから、気圧及び温湿度を受信し、空間的な人動物の不存在感を判定するサーバであって、
時間経過に伴い変化する気圧の差分値である気圧差分値を算出する気圧差分値算出手段と、
外部装置から外界の参照温湿度を取得する参照温湿度取得手段と、
計測された温湿度と、参照温湿度との間の相関値を算出する温湿度相関値算出手段と、
前記気圧差分値の絶対値が第１の所定条件以下であって、且つ、前記相関値が第２の所定条件以上である場合に、空間的な人動物の存在感が無いと判定する不存在感判定手段と
を有することを特徴とするサーバ。
【発明の詳細な説明】
【技術分野】
【０００１】
本発明は、空間的な人動物の不存在感を判定する技術に関する。例えば、高齢化社会に必要とされる高齢者の見守り技術に適用できる。
【背景技術】
【０００２】
従来、室内における高齢者の見守り技術として、以下のように様々なものがある。
カメラの顔認識機能を有する自律走行可能なロボットが、宅内で高齢者を見守る技術がある（例えば特許文献１参照）。
また、米びつに米の貯留量を監視するセンサを設置し、高齢者宅の米の貯留量を遠隔の家族や見守り業者へ通知する技術もある（例えば特許文献２参照）。
更に、高齢者宅で計測された水使用量を、用途別に分類し、遠隔の家族や見守り業者へ通知する技術もある（例えば特許文献３参照）。
更に、高齢者宅にマイクロフォンアレイ装置及びセンサを設置し、室内の歩行人数や歩行動線を推定して、遠隔の家族や見守り業者へ通知する技術もある（例えば特許文献４参照）。
更に、高齢者宅の電気使用量データから生活リズム情報を作成し、その生活リズムに異常が発生した際に、遠隔の家族や見守り業者へ通知する技術もある（例えば特許文献５参照）。
更に、高齢者宅に設置された人感センサと、高齢者が装着する加速度センサデータとを用いて、高齢者の動作及び場所を推定し、その推定結果を遠隔の家族や見守り業者へ通知する技術もある（例えば特許文献６参照）。
更に、人感センサに代えて、地磁気センサを用いる技術もある（例えば特許文献７参照）。
更に、寝床センサ及び人感センサを用いて、高齢者の宅内での場所を推定する技術もある（例えば特許文献８参照）。
更に、杖にセンサを内蔵し、床面との接触、杖の加速度、杖の傾斜度などを計測し、高齢者の位置だけでなく、その状態が正常か異常を判定し、遠隔の家族や見守り業者へ通知する技術もある（例えば特許文献９参照）。
更に、高齢者宅に設置した時報時計と、その時報時計と無線通信可能な携帯子機とを用いて、時報時計による特定の正時に鳴動する時報音に対し、当該子機に具備された応答ボタンを高齢者が押下しない場合、異常警報信号を遠隔の家族や見守り業者へ通知する技術もある（例えば特許文献１０参照）。
更に、高齢者宅に設置したカメラによる映像データおよび寝床センサ等の状態データを収集し、遠隔の家族や見守り業者の要求に応じて当該データを提供する技術もある（例えば特許文献１１参照）。
更に、高齢者住宅内に、気温・気圧、湿度、照度、マイク、人感のようなセンサユニットを設置し、高齢者の日常活動状況を観測するセンサーシステムの技術がある（例えば非特許文献１参照）。この技術によれば、センサユニットで計測した、高齢者の日常活動状況に関するセンサデータ群を管理サーバへ送信する。管理サーバは、高齢者宅毎にセンサデータをパターン解析し、定常状態から外れたセンサデータ群を受信した際に、その高齢者宅で異常が発生したと判定し、遠隔の家族や見守り業者へその旨を通知する。
【０００３】
本願の発明者らは、現状で「見守りサービス」を利用していない６０歳代のシニア層にアンケートを実施した。ここでは、３分の２以上の回答が、自身の見守りサービスの利用に全く興味がないとするものであった。その理由としては、６割近くが「まだ元気だから」と回答し、「夫または妻がいるから」「まだ若いから」という回答がそれに続いた。
また、本願の発明者らが、個別にシニアにヒアリングしたところ、「まだ若いし元気なのに監視なんてされたくない。」「元気で問題ないのに見守られるために何かしなければいけないのも嫌だ。」「寝たきりになったら自分が心配なので監視のような見守りサービスを使いたい」という声が聞かれた。
逆に、６０歳以上の親を持つ３０代４０代の男女にアンケートを実施したところ、約半数が親の見守りサービスの利用に興味があると回答した。
【先行技術文献】
【特許文献】
【０００４】
【特許文献１】特開２０１５−０６９４８５号公報
【特許文献２】特開２０１４−２３９７１３号公報
【特許文献３】特開２０１４−２３２４６１号公報
【特許文献４】特開２０１４−１９１６１６号公報
【特許文献５】特開２０１４−１５７５８７号公報
【特許文献６】特開２０１４−０８９４９４号公報
【特許文献７】特開２０１３−０７７１１３号公報
【特許文献８】特開２００３−３１７１６５号公報
【特許文献９】特開２００６−０８５６０９号公報
【特許文献１０】特開２００７−１９８９９３号公報
【特許文献１１】特開２００４−３１３４６１号公報
【非特許文献】
【０００５】
【非特許文献１】大岩知也、山本寛、山崎克之、「高齢者の日常活動状況を観測するセンサーシステム」、長岡技術科学大学、情報・システムソサイエティ特別企画・学生ポスターセッション予稿集、2015 IEICE-179-ISS-SP-179、2015年3月10日、[online]、［平成２７年１１月３日検索］、インターネット＜URL:http://www.ieice.org/~iss/jpn/Publications/issposter_2015/data/pdf/ISS-SP-179.pdf＞
【非特許文献２】象印、「みまもりほっとライン」、[online]、［平成２７年１１月３日検索］、インターネット＜URL:http://www.mimamori.net/＞
【非特許文献３】北海道電力、「よくあるご質問」、[online]、［平成２７年１１月３日検索］、インターネット＜URL:http://www.hepco.co.jp/userate/price/price_info/answer.html＞
【非特許文献４】青木茂、「４．相関・回帰」、北海道大学、低温科学研究所、[online]、［平成２７年１１月９日検索］、インターネット＜URL:http://climbsd.lowtem.hokudai.ac.jp/group/shigeru/tc/dataan2012/num4.pdf＞
【発明の概要】
【発明が解決しようとする課題】
【０００６】
特許文献１から１１に記載のいずれの技術であっても、見守られる高齢者としては監視されている感情を持つ場合があって、高齢者自身が気を遣う必要がある。
特許文献１及び１１に記載の技術によれば、高齢者宅内の映像が撮影されることとなる。
特許文献４、６〜９及び非特許文献１に記載の技術によれば、高齢者の宅内での存在位置や行動、会話までも、遠隔の家族や見守り業者に通知されることとなる。
特許文献３及び５に記載の技術によれば、電力会社としても電力使用量を機微的な個人情報として取り扱っているにも拘わらず（例えば非特許文献３参照）、そのような電気使用量や水道使用量を見守りサービス事業者に提供することとなる。
特許文献２に記載の技術によれば、高齢者が米を定期的に食さないだけで、その異常情報が遠隔の家族や見守り業者へ通知されることとなる。
特許文献１０に記載の技術によれば、特定の正時に鳴動する時報音に対して、子機の応答ボタンを押下しない場合、異常警報信号を遠隔の家族や見守り業者へ通知されることとなる。
【０００７】
これに対し、非特許文献２に記載の技術によれば、家族や見守り業者に対し、高齢者宅の給湯時刻しか通知されないために、高齢者自身が気を遣う必要性は低くなる。当該通知情報を受信したその家族や見守り業者が、異常を判定することとなる。
【０００８】
尚、非特許文献１に記載の技術によれば、気温及び気圧センサによってエアコンの使用状態を推定し、その使用状態が通常と異なる場合に異常と判定する。また、短時間の変化では意味がないため、長時間の観察を必要としている。しかしながら、エアコンが使用されない時期には、異常を判定できない。そのため、他の複数のセンサを組み合わせて使用している。一方で、気圧センサによって取得される気圧は、室内におけるドアや窓の開閉、掃除機の起動、料理や入浴後の換気扇動作であっても、大きく変動する。マンションのように気密性の高い室内であれば、高齢者の生活活動がそのまま気圧の変化に表れるように思われる。
また、一戸建て住宅（換気のために常に窓を少し空けている）のように気密性の低い室内では、室外気圧と室内気圧との間に差が生じることなく、高齢者の生活活動がそのまま気圧の変化として表れない。
【０００９】
そこで、本発明は、外界に対する気密性が比較的低い室内であっても、空間のゆらぎによって人動物の不存在感を判定する装置、プログラム、方法及びサーバを提供することを目的とする。
【課題を解決するための手段】
【００１０】
本発明によれば、気圧を計測する気圧センサと、温湿度（気温及び／又は湿度）を計測する温湿度センサとを有し、空間的な人動物の不存在感を判定する装置であって、
時間経過に伴い変化する気圧の差分値である気圧差分値を算出する気圧差分値算出手段と、
外部装置から外界の参照温湿度を取得する参照温湿度取得手段と、
計測された温湿度と、参照温湿度との間の相関値を算出する温湿度相関値算出手段と、
気圧差分値の絶対値が第１の所定条件以下であって、且つ、相関値が第２の所定条件以上である場合に、空間的な人動物の存在感が無いと判定する不存在感判定手段と
を有することを特徴とする。
【００１１】
本発明の装置における他の実施形態によれば、
気圧差分値算出手段は、ｎ階中心差分法又はエッジ抽出フィルタ法に基づく差分法を用いて、気圧差分値を算出することも好ましい。
【００１２】
本発明の装置における他の実施形態によれば、
温湿度相関値算出手段における相関値は、計測された温湿度と、参照温湿度との時系列データに関する相互相関関数(cross-correlation function)に基づく相互相関値であることも好ましい。
【００１３】
本発明の装置における他の実施形態によれば、
不存在感判定手段について、
第１の所定条件以下とは、所定期間内について、複数の気圧差分値の絶対値の中で、第１の所定閾値以上の気圧差分値の絶対値が第１の所定数以下であることを意味し、
第２の所定条件以上とは、所定期間内について、相互相関値が第２の所定閾値以上であることを意味することも好ましい。
【００１４】
本発明の装置における他の実施形態によれば、
当該装置は、人動物が存在するであろう室内に設置されるものであり、
第１の所定閾値は、外界から密閉された室内における人動物の活動によって生じるであろう気圧差分値を意味し、
第２の所定閾値は、外界と一部開放された室内における人動物の存在によって生じるであろう室内温湿度と参照温湿度との間の相互相関値を意味することも好ましい。
【００１５】
本発明の装置における他の実施形態によれば、
不存在感判定手段によって真と判定された際に、ネットワークを介して外部装置へ、異常状態を通知する異常通知手段を更に有することも好ましい。
【００１６】
本発明によれば、気圧を計測する気圧センサと、温湿度（気温及び／又は湿度）を計測する温湿度センサとを有し、空間的な人動物の不存在感を判定する装置に搭載されたコンピュータを機能させるプログラムであって、
時間経過に伴い変化する気圧の差分値である気圧差分値を算出する気圧差分値算出手段と、
外部装置から外界の参照温湿度を取得する参照温湿度取得手段と、
計測された温湿度と、参照温湿度との間の相互相関関数に基づく相互相関値を算出する温湿度相関値算出手段と、
気圧差分値の絶対値が第１の所定条件以下であって、且つ、相互相関値が第２の所定条件以上である場合に、空間的な人動物の存在感が無いと判定する不存在感判定手段と
してコンピュータを機能させることを特徴とする。
【００１７】
本発明によれば、気圧を計測する気圧センサと、温湿度（気温及び／又は湿度）を計測する温湿度センサとを有し、空間的な人動物の不存在感を判定する装置の不存在感判定方法であって、
装置は、
時間経過に伴い変化する気圧の差分値である気圧差分値を算出し、
外部装置から外界の参照温湿度を取得し、
計測された温湿度と、参照温湿度との間の相互相関関数に基づく相互相関値を算出し、
気圧差分値の絶対値が第１の所定条件以下であって、且つ、相互相関値が第２の所定条件以上である場合に、空間的な人動物の存在感が無いと判定する
ことを特徴とする。
【００１８】
本発明によれば、気圧を計測する気圧センサと、温湿度（気温及び／又は湿度）を計測する温湿度センサとを有するモジュールから、気圧及び温湿度を受信し、空間的な人動物の不存在感を判定するサーバであって、
時間経過に伴い変化する気圧の差分値である気圧差分値を算出する気圧差分値算出手段と、
外部装置から外界の参照温湿度を取得する参照温湿度取得手段と、
計測された温湿度と、参照温湿度との間の相互相関関数に基づく相互相関値を算出する温湿度相関値算出手段と、
気圧差分値の絶対値が第１の所定条件以下であって、且つ、相互相関値が第２の所定条件以上である場合に、空間的な人動物の存在感が無いと判定する不存在感判定手段と
を有することを特徴とする。
【発明の効果】
【００１９】
本発明の装置、プログラム、方法及びサーバによれば、外界に対する気密性が比較的低い室内であっても、空間のゆらぎによって人動物の不存在感を判定することができる。特に、本発明によれば、宅内の高齢者に何ら行動を強いることなく、その生活活動の有無を判定することによって、簡易な見守りサービスを提供することができる。
【図面の簡単な説明】
【００２０】
【図１】センサモジュールが設置された室内環境を表す外観図である。
【図２】図１の室内における気圧値の変化を表すグラフである。
【図３】本発明におけるセンサモジュールの機能構成図である。
【図４】本発明における管理サーバの機能構成図である。
【図５】図２で観測された気圧値に対して、ｎ階中心差分法としてエッジ抽出フィルタを用いたグラフである。
【図６】図５で観測された差分値に対して、異常「１」及び正常「０」としたグラフである。
【図７】時間経過に応じて変化する室内気温及び参照気温を表すグラフである。
【図８】図７に基づく時間差に応じた相互相関関数の値のグラフである。
【発明を実施するための形態】
【００２１】
以下では、本発明の実施の形態について、図面を用いて詳細に説明する。
【００２２】
図１は、センサモジュールが設置された室内環境を表す外観図である。
【００２３】
図１によれば、例えば室内に、センサモジュール（装置）１が置かれている。センサモジュール１は、空間的な人動物の不存在感を判定する装置であって、例えば高齢者を見守る用途に利用できる。本発明のセンサモジュール１は、少なくとも、気圧を計測する「気圧センサ」と、温湿度を計測する「温湿度センサ」とを搭載している。ここで、「温湿度」とは、気温のみや、湿度のみであってもよいし、気温及び湿度の両方であってもよい。センサモジュール１は、気圧センサ及び温湿度センサを搭載した例えば水耕栽培キットのようなものであってもよい。気圧センサ及び温湿度センサは、所定頻度（例えば１秒毎）に計測するものである。
【００２４】
図２は、図１の室内における気圧値の変化を表すグラフである。
【００２５】
図２によれば、図１の室内の各場所における生活活動によって、気圧値が急に上昇するタイミングが表されている。
（１）センサを配置した部屋のドアの開閉
（２）別室のドアの開閉
（３）玄関ドアの開閉
（４）別室の窓の開閉
（５）換気扇の利用
【００２６】
図３は、本発明におけるセンサモジュールの機能構成図である。
図４は、本発明における管理サーバの機能構成図である。
【００２７】
図３によれば、本発明のセンサモジュール１は、気圧センサ１０１及び温湿度センサ１０２以外に、気圧差分値算出部１１と、参照温湿度取得部１２と、温湿度相関値算出部１３と、不存在感判定部１４と、異常通知部１５とを有する。これら機能部は、装置に搭載されたコンピュータを機能させるプログラムを実行することによって実現される。また、これら機能部の処理の流れは、人動物の不存在感判定方法としても理解できる。
【００２８】
図４によれば、本発明の管理サーバは、図３と比較して、気圧センサ及び温湿度センサ以外の機能部を搭載したものであって、各機能部の処理内容は、図３と全く同じものである。管理サーバは、センサモジュールからネットワークを介して気圧及び温湿度を受信し、その室内における人動物の不存在感を判定するものである。
【００２９】
［気圧差分値算出部１１］
気圧差分値算出部１１は、時間経過に伴い変化する気圧の差分値である「気圧差分値」を算出する。気圧差分値は、例えばｎ階中心差分法又はエッジ抽出フィルタ法のような差分法を用いて算出される。
算出された気圧差分値は、不存在感判定部１４へ出力される。
【００３０】
＜差分法(difference method)について＞
差分法とは、微分方程式を解く数値解析における離散化手法である。関数が２つの変数値に対してとる値の間の有限な差を、「差分(difference）」という。この差分を、変数値の差で割って得られる商を差分商(difference quotient)という。これは、微分を差分商で近似することによって、微分方程式を解く方法である。
【００３１】
「中心差分法」の場合、以下のように算出される。
時刻tと時刻t+1との間で微分をとる前方差分△ｕ(t)は、以下の式で表される。
△ｕ(t)＝ｕ(t+1)−ｕ(t)
時刻tと時刻t-1との間で微分をとる後方差分▽ｕ(t)は、以下の式で表される。
▽ｕ(t)＝ｕ(t)−ｕ(t-1)
そして、tに対して、t+1とt-1との間で差分をとる中心差分δｕ(t)は、以下の式で表される。即ち、中心差分δｕ(t)は、前方差分△ｕ(t)と後方差分▽ｕ(t)とを平均したものである。
δｕ(t)＝＝(△ｕ(t)+▽ｕ(t))／２
＝(ｕ(t+1)−ｕ(t-1))／２
【００３２】
「２階中心差分法(2nd difference method)」の場合、２階微分の近似として、以下のように算出される。
δ2ｕ(x)＝(ｕ(t+1)−ｕ(t))−(ｕ(t)−ｕ(t-1))
＝ｕ(t+1)−2ｕ(t)＋ｕ(t-1)
２階中心差分法は、nを中心にして、t+1とt-1との間で差分をとる方法である。具体的には、[1, -2, 1]の２次微分フィルタである。勿論、２次微分フィルタに限られず、１次の差分法として、x(t+1)-x(t-1)を意味する{-1,0,1}のような画像処理における「エッジ抽出フィルタ」を用いることも好ましい。
【００３３】
図５は、図２で観測された気圧値に対して、ｎ階中心差分法としてエッジ抽出フィルタを用いたグラフである。
図６は、図５で観測された差分値に対して、異常「１」及び正常「０」としたグラフである。ここでは、時系列データに対する各外れ値検出技術を適用可能である。図６によれば、例えば、過去２０個の気圧差分値の平均値と標準偏差σとから、平均値±４σに現在の気圧差分値が収まらないときに異常変動とすると定義した際の、異常変動と判定された箇所を示している。
【００３４】
［参照温湿度取得部１２］
参照温湿度取得部１２は、外部装置から外界の参照温湿度を取得する。参照温湿度とは、当該センサモジュールの室外（外界）における外気温及び／又は外湿度をいう。
外部装置としては、インターネットを介して通信可能な気候サーバであってもよいし、室外に配置した温湿度計測装置であってもよい。気候サーバの場合、当該センサモジュールは、例えば無線ＬＡＮ及びインターネットを介して、地理的な位置情報を気候サーバへ送信し、その位置の現在の温湿度（標高に応じて海面較正されたものであってもよい）を受信することができる。また、温湿度計測装置の場合、当該センサモジュールは、例えばローカルネットワーク（無線ＬＡＮやBluetooth（登録商標））を介して、室外の現在の温湿度を受信する。
取得された参照温湿度は、温湿度相関値算出部１３へ出力される。
【００３５】
図７は、時間経過に応じて変化する室内気温及び参照気温を表すグラフである。
【００３６】
図７によれば、室内気温と参照気温との間の気温差も、時間経過に応じて変化する。参照温湿度も、センサモジュール１によって計測された室内温湿度と同様に、時系列データとなる。
【００３７】
［温湿度相関値算出部１３］
温湿度相関値算出部１３は、室内温湿度（センサジュールによって計測した温湿度）と、参照温湿度（室外の温湿度）との間の相関値（広義の相関値）を算出する。
本発明によれば、狭義の相関値として、計測された温湿度と、参照温湿度との時系列データに関する相互相関関数に基づく相互相関値であることが好ましい（例えば非特許文献４参照）。相関係数は、時系列データにおける時間のズレ（ラグτ）によって変わってくる。そのために、相互相関関数が最大となるラグにおける相関係数（相互相関値）を用いる。
算出された相関値は、不存在感判定部１４へ出力される。
【００３８】
＜相互相関関数(cross-correlation function)について＞
相互相関関数とは、２つの信号についてベクトル（配列）の類似度を算出するものである。具体的には、相互相関関数の値Ｃfgは以下のように算出される。
Ｃfg(τ)=Σｆ(t)ｇ(t+τ)
ｆ(t)：第１の信号
ｇ(t)：第２の信号
t：時刻
τ：fとg間の時間差
相互相関関数の値が最も大きい時間差が、相互相関値が最も大きくなるところである。
【００３９】
図８は、図７に基づく時間差に応じた相互相関関数の値のグラフである。
【００４０】
相互相関値は、所定期間（例えば１日）における室内温湿度の時系列データと参照温湿度の時系列データとから、ラグ（時間差）を考慮して算出される。図８によれば、ラグが８分で最大を取ることが分かる。この場合、図７について、時間を８分だけ左にシフトした室内温湿度と参照温湿度との相互相関値を算出する。このとき、相互相関値は、例えば0.94となる。室内温湿度と参照温湿度との間の相互相関値が高いということは、室内に発熱体が存在せず、人動物の存在感が無い可能性が高い。
【００４１】
［不存在感判定部１４］
不存在感判定部１４は、気圧差分値の絶対値が第１の所定条件以下であって、且つ、相関値が第２の所定条件以上である場合に、空間的な人動物の存在感が無い（不存在感がある）と判定する。各所定条件（及び所定閾値）は、例えば以下のように規定される。
【００４２】
（第１の所定条件）第１の所定条件以下とは、所定期間内について、複数の気圧差分値の中で、第１の所定閾値以上の気圧差分値の絶対値が第１の所定数以下であることを意味する。
【００４３】
（第１の所定閾値）第１の所定閾値は、外界から密閉された室内における人動物の活動によって生じるであろう気圧差分値を意味する。
第１の所定閾値以上とは、例えば、過去２０個の気圧差分値の平均値と標準偏差σとから、現在の気圧差分値が平均値＋４σ以上（外れ値）となる場合であってもよい。
（第１の所定数）人動物の活動によって第１の所定閾値以上の気圧差分値が発生するであろう回数を意味する。
即ち、第１の所定数以下（外れ値が０又は少ない）であるとは、人動物の不存在感が高いことを意味する。
例えば、１日（所定期間）に、第１の所定閾値（＋４σ）以上の気圧差分値が第１の所定数（例えば４回）以下である場合、人動物の不存在感が高いと判定する。
【００４４】
第１の所定条件によれば、例えば高齢者が室内で生活しているにも拘わらず、気圧差分値に所定の変化がないということは、高齢者の不存在感（不在や倒れている）が疑われる。しかしながら、室内の窓を常時開放している場合や、気密性が低い一戸建て住宅の場合、室外気圧と室内気圧との間に差が生じることなく、高齢者の生活活動がそのまま気圧差分値の変化として表れない。そこで、以下の第２の所定条件も判定する。
【００４５】
（第２の所定条件）第２の所定条件以上とは、所定期間内について、相互相関値が第２の所定閾値以上であることを意味する。
（第２の所定閾値）第２の所定閾値は、外界と一部開放された室内における人動物の存在によって生じるであろう室内温湿度と参照温湿度との間の相互相関値を意味する。
【００４６】
第２の条件によれば、外界に対する気密性が低い室内であっても、人が生活活動をする場合、その人間自体が発熱体になっているとために、室内の温湿度の変動と室外の温湿度の変動との間の乖離が大きくなることが想定している。
【００４７】
［異常通知部１５］
異常通知部１５は、不存在感判定部１４によって真と判定された際に、ネットワークを介して外部装置へ、異常状態を通知する。外部装置は、例えばインターネットに接続された管理サーバであってよいし、例えば高齢者の身内の人が所持する携帯電話機やスマートフォンであってもよい。異常状態は、例えばメールやＳＭＳ(Short Message Service)であってもよい。
【００４８】
以上、詳細に説明したように、本発明の装置、プログラム、方法及びサーバによれば、外界に対する気密性が比較的低い室内であっても、空間のゆらぎによって人動物の不存在感を判定することができる。特に、本発明によれば、宅内の高齢者に何ら行動を強いることなく、その生活活動の有無を判定することによって、簡易な見守りサービスを提供することができる。
【００４９】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５０】
１  センサモジュール
１０１  気圧センサ
１０２  温湿度センサ
１１  気圧差分値算出部
１２  参照温湿度取得部
１３  温湿度相関値算出部
１４  不存在感判定部
１５  異常通知部
２  気候データベース
３  端末
【図１】
0006489648.tif 000002
【図２】
0006489648.tif 000003
【図３】
0006489648.tif 000004
【図４】
0006489648.tif 000005
【図５】
0006489648.tif 000006
【図６】
0006489648.tif 000007
【図７】
0006489648.tif 000008
【図８】
0006489648.tif 000009